(57)【要約】  本発明は、液体薬剤の複数の設定用量を配分するための注射装置に関し、注射装置は内容物終了機構を含む。内容物終了機構は、回転可能なピストンロッドガイド（２０）によって前方に駆動されるピストンロッド（１０）と、用量設定チューブ（３０）に取り付けられたドライバ（５０）と、内容物終了チューブ（４０）とを備える。内容物終了チューブは、用量設定の間、用量のサイズに相関する距離だけ、軸方向に前方に移動する。内容物終了チューブの位置は、累積された設定されおよび放出された用量の表明である。累積された設定されおよび放出された用量が、カートリッジ内で最初に利用可能な注入可能量に等しい場合、内容物終了チューブはピストンロッドガイドに設けられたロック機構と係合し、ドライバは内容物終了チューブの停止表面と係合する。内容物終了機構がロックされると、さらなる用量は設定できず、ピストンロッドガイドを回転できない。ピストンロッドガイドとドライバの間の適切な係合を提供するために、内容物終了機構は用量放出中に解放される。【選択図】図２
2020505125.tif 000002
【特許請求の範囲】
【請求項１】
設定用量の液体薬剤をリザーバーから配分するための注射装置であって、
ハウジング（１）と、
前記設定用量を前記リザーバーから押し出すための、外ねじ（１１）と長軸方向の非ねじ領域（１２）とを有する、回転可能なピストンロッド（１０）と、
用量放出中にのみ回転可能であり、前記ピストンロッド（１０）の前記長軸方向の非ねじ領域（１２）と係合し、用量放出中に前記ピストンロッド（１０）を回転させるピストンロッドガイド（２０）と、
用量放出中に前記ピストンロッドガイド（２０）を回転させるための回転可能な駆動要素（５０）であって、駆動要素（５０）は、第一の用量設定位置と第二の用量放出位置との間で軸方向に移動可能であり、
前記第一の用量設定位置にある前記駆動要素（５０）が前記ピストンロッドガイド（２０）から外れ、前記第二の用量放出位置で、前記ピストンロッドガイド（２０）と係合する、駆動要素と、
用量放出中に前記駆動要素（５０）を回転させるために、前記ハウジング（１）と前記駆動要素（５０）との間に含まれるねじればね（５）と、
前記ピストンロッド（１０）の前記非ねじ領域（１２）と係合する内向きの隆起部（４２）を有し、これにより、用量放出中に前記ピストンロッド（１０）と共に回転し、さらに外ねじ（４１）が設けられている、内容物終了（Ｅｎｄ−ｏｆ−Ｃｏｎｔｅｎｔ）チューブ（４０）と、
前記駆動要素（５０）に結合され、前記ＥｏＣチューブ（４０）の前記外ねじ（４１）と螺合するねじセグメント（３１）を備えた回転可能な用量設定チューブ（３０）と、を含み、
用量設定の間、用量設定の間に回転しない前記ピストンロッド（１０）に対する前記用量設定チューブ（３０）および前記駆動要素（５０）の回転は、前記ＥｏＣチューブ（４０）を、前記回転可能な用量設定チューブ３０と前記ピストンロッド（１０）と係合する前記ＥｏＣチューブ（４０）との間の前記螺合（３１、４１）により、前記用量設定チューブ（３０）に対し、遠位に軸方向距離を移動させ、前記軸方向距離が、前記設定用量のサイズに相関し、前記ＥｏＣチューブ（４０）が、前記ＥｏＣチューブ（４０）に設けられた近位停止表面（４４）が前記用量設定チューブ（３０）の前記ねじセグメント（３１）に係合するまで、遠位に移動することができ、それにより、前記ＥｏＣチューブ（４０）のさらなる遠位方向への移動および前記回転可能な用量設定チューブ（３０）のさらなる回転が防止され、
用量放出中、前記用量設定チューブ（３０）、前記駆動要素（５０）、前記ピストンロッドガイド（２０）および前記ＥｏＣチューブ（４０）は共に回転して、前記ＥｏＣチューブ（４０）を前記用量設定チューブ（３０）に対するその相対位置に維持する、注射装置。
【請求項２】
前記駆動要素（５０）および前記用量設定チューブ（３０）は、好ましくは軸方向に移動可能な針シールドによって作動される解放要素（９）によって、前記第一の用量設定位置から前記第二の用量放出位置まで近位に移動し、前記駆動要素（５０）および前記用量設定チューブ（３０）の前記近位移動は、前記ＥｏＣチューブ（４０）も近位に移動させる、請求項１に記載の注射装置。
【請求項３】
前記ねじセグメント（３１）が前記用量設定チューブ（３０）の内側表面上に設けられている、請求項１または２に記載の注射装置。
【請求項４】
前記ピストンロッドガイド（２０）が、前記ピストンロッド（１０）の前記長軸方向の非ねじ領域（１２）と係合する内向きのノブ（２３）を備える、請求項１、２または３に記載の注射装置。
【請求項５】
前記ＥｏＣチューブ（４０）が、遠位停止表面（４３）を備える、請求項１〜４のいずれかに記載の注射装置。
【請求項６】
前記ねじセグメント（３１）が前記ＥｏＣチューブ（４０）上に設けられた前記近位停止表面（４４）に係合するとき、前記ＥｏＣチューブ（４０）上の前記遠位停止表面（４３）が前記ピストンロッドガイド上の前記内向きのノブ（２３）に係合する、請求項４または５に記載の注射装置。
【請求項７】
前記ＥｏＣチューブ（４０）上に設けられた前記近位停止表面（４４）が、前記ねじ（４１）の一部を形成する、請求項１〜６のいずれかに記載の注射装置。
【請求項８】
前記ピストンロッドガイド（２０）が、前記ハウジング（１）と係合する一方向歯部（２１）を備える、請求項１〜７のいずれかに記載の注射装置。
【請求項９】
前記ピストンロッドガイド（２０）が、用量放出中に前記駆動部材を係合するための径方向の歯部（２２）を備える、請求項１〜８のいずれかに記載の注射装置。
【請求項１０】
前記ピストンロッド（１０）の前記外ねじ（１１）が、前記ハウジング（１）または前記ハウジング（１）に固定されたナット部材（１５）に設けられた同様の内ねじと係合する、請求項１〜９のいずれかに記載の注射装置。
【発明の詳細な説明】
【技術分野】
【０００１】
本発明は、液体薬剤を注入するための医療用注射装置、特に複数の個別の設定可能な用量の多数を配分するための予め充填された注射装置に関連する。
【０００２】
本発明はさらに、このようなペン形状および予め充填された注射装置に関し、ここで注射装置は内容物終了機構を備える。
【０００３】
関連技術の説明：
機械的内容物終了機構を備えた注射装置が、ＵＳ  ＲＥ４１，９５６に開示されている。ピストンロッドを前方に駆動する駆動要素には、注射装置内に含まれる液体薬剤の全体の注射可能な内容物に相関する長さを持つトラックが設けられている。このトラック内を案内される追従体は、使用者が特定の用量を設定するたびに追従体がトラック内の設定用量のサイズに関連してある距離だけ動かされるように用量設定機構に結合される。使用者が設定用量を放出すると、追従体はトラック内の相対位置に維持される。従って、トラック内の追従体の位置は、どのくらいの液体薬剤が設定され噴出されたかの指標である。追従体がトラックの末端に達すると、用量設定機構はさらなる用量を設定できないようにブロックされる。それによって、使用者が設定し噴出した蓄積された用量が注射装置内の合計注射可能な内容物に等しくなると、トラックの末端に達したことが、確かめられる。
【０００４】
類似の内容物終了機構がＵＳ９，１１４，２１１に開示されている。このＥｏＣ機構では、トラックはハウジングの内側表面上に設けられ、使用者が用量設定部材を回転させるたびに、追従体はトラック内で移動される。追従体が物理的にトラックの末端に達すると、用量設定部材はさらに回転することはできない。
【０００５】
一部のばね動作注射装置では、噴出される用量は、針シールドの軸方向移動によって放出される。用量放出のそのようなシールド誘発は、注射機構内に軸方向に可動な部品を必要とすることが多く、既知の内容物終了システムの多くは軸方向に可動な部品と一緒に動作することができない。
【発明の概要】
【０００６】
本発明の目的は、軸方向に可動な部品が内容物終了機構を遮断することなく、設定用量を放出するための軸方向に可動な部品を持つ注射装置を提供することである。
【０００７】
したがって、本発明の一般的な態様では、複数の設定用量の液体薬剤を配分するための予め充填された注射ペンは、以下のものを含む：
−  一例において、排出される液体薬剤を含むカートリッジを固定するためのカートリッジホルダーを含むハウジング。
−  カートリッジ内を前方に移動してカートリッジから設定用量を引き出す回転可能なピストンロッド。ピストンロッドは、外ねじおよび長軸方向の非ねじ領域（例えば、長軸方向の溝またはこれに類するもの）を持つ。
−  用量放出中のみ回転可能なピストンロッドガイド、ここで、「のみ（ｏｎｌｙ）」という語は、用量放出中にのみピストンロッドガイドが回転するが、用量設定の間は回転不可能であることを意味する。ピストンロッドガイドは、ピストンロッドの長軸方向の非ねじ領域をさらに係合させ、それによってピストンロッドガイドの回転をピストンロッドの回転に移動させる。
−  用量放出中にピストンロッドガイドを回転させるための回転可能な駆動要素。駆動要素は、第一の設定位置と第二の用量放出位置との間で軸方向に移動可能である。
前記第一の用量設定位置において、前記駆動要素がピストンロッドガイドから解放され、第二の用量放出位置で前記駆動要素が前記ピストンロッドガイドと係合されている。
−  ハウジングまたはハウジングに固定された少なくとも一部分および駆動要素の間に包含されるねじればね。ねじればねは、用量放出中に駆動要素を回転させるトルクを保持する。
−  ピストンロッドの非ねじ領域と係合する内向きの隆起部を持ち、それによって用量放出中にピストンロッドとともに回転する内容物終了（ＥｏＣ）チューブ。その結果、ＥｏＣチューブは、ピストンロッドが回転しない時に、ピストンロッドとの係合によって回転が阻止される。外側表面上に、ＥｏＣチューブにらせん状のねじが設けられている。
−  駆動要素に連結され、かつＥｏＣチューブの外ねじとねじ係合するねじセグメントを設けた、回転可能な用量設定チューブ。
【０００８】
用量設定の間、用量設定の間回転しないピストンロッドに対する用量設定チューブおよび駆動要素の回転は、回転可能な用量設定チューブおよびピストンロッドと係合するＥｏＣチューブの間のねじ係合により、ＥｏＣチューブを、用量設定チューブに対して、遠位方向に軸方向距離だけ移動させ、軸方向距離は設定用量のサイズに相関し、ＥｏＣチューブは、ＥｏＣチューブに設けられた近位停止表面が用量設定チューブのねじセグメントに係合するまで、遠位方向に動くことができ、それによって、ＥｏＣチューブのさらなる遠位方向への移動および回転可能な用量設定チューブのさらなる回転を防止する。
【０００９】
用量放出中、用量設定チューブ、駆動要素、ピストンロッドガイドおよびＥｏＣチューブは一緒に回転し、それによってＥｏＣチューブを用量設定チューブに対してその相対位置に維持する。
【００１０】
その結果、用量が設定されるとき、ＥｏＣチューブは、設定用量に対応する軸方向距離を遠位に移動する。したがって、ＥｏＣチューブが遠位方向に動くことができる長さは、ＥｏＣチューブがそのロック位置に入るときはいつでもさらなる用量を設定することができないように、カートリッジに含まれる注射可能な内容物の表現である。使用者がいつでもカートリッジ内に残っている注射可能な内容物を超える用量を設定できないことを保証する。ロック位置は、用量設定チューブ上に設けられるねじセグメントとＥｏＣチューブ上に設けられた停止表面との間の係合によって確立される。用量が使用者によって設定されるたびに、ＥｏＣチューブと停止表面は、用量設定チューブに設けられたねじセグメントに向かって移動する。ＥｏＣチューブが動くことができる長さは、カートリッジの注射可能な内容物の表現である。用量設定の間、用量設定チューブはＥｏＣチューブに対して相対的に回転するので、可動長さは実際にはＥｏＣチューブに設けられた外ねじの長さであり、一旦停止表面がねじセグメントに到達してそれに係合すると、それ以上の用量を設定することはできない。
【００１１】
設定用量は、第一の用量設定位置と第二の用量放出位置との間で軸方向に移動可能な駆動要素の軸方向移動によって放出される。
【００１２】
用量設定チューブは駆動要素に連結されているため、これらの二つの要素はすべての動きにおいて一つに移動する。駆動要素と用量設定チューブとの間の結合は、二つの要素が軸方向および回転可能に動くようにするためである。一例では、二つの部品は一つの単一の要素として成形されうる。
【００１３】
駆動要素は、注射中に使用者の皮膚に押し付けられる軸方向に移動可能な針シールドによって、第一の用量設定位置から第二の用量放出機構へ移動されるのが好ましい。開示された実施形態では、軸方向に移動可能な解放要素は、針シールドの軸方向移動を駆動要素の軸方向移動に変換する。
【００１４】
さらに、駆動要素および用量設定チューブの近位移動により、ＥｏＣチューブも近位に移動させる。ＥｏＣチューブが近位に移動すると、それはピストンロッドガイドとの係合がはずれる。従って、ピストンロッドガイドは、用量放出中に数度の回転度で自由に回転するが、これは駆動機構との係合がより簡単になる。
【００１５】
一つの例では、用量設定チューブ上に設けられるねじセグメントは、その内側表面上に設けられる。
【００１６】
ピストンロッドガイドは、ピストンロッドの長軸方向の非ねじ領域と係合するための内向きのノブを備えることが好ましい。一実施例では、非ねじ領域は、内向きのノブがフィットしてナットおよび溝の係合を形成する長軸方向の溝である。
【００１７】
更なる例では、使用者が用量設定チューブを（用量設定ボタンを回転させることによって）回転させようとしたときに生じる回転トルクは、ピストンロッドガイドによって得られるように、ＥｏＣチューブは、停止位置においてピストンロッドガイド上の内向きのノブと係合する遠位停止表面を備える。そうでない場合、使用者は、ＥｏＣチューブと用量設定チューブの間の停止係合を破ることができる。
【００１８】
近位に、ＥｏＣチューブは、内容物終了で、用量設定チューブ内に内部に設けられるねじセグメントと係合する近位停止表面を所持する。この近位停止表面は、近位停止表面が用量設定チューブ内で内部に設けられるねじセグメントと係合すると、使用者が用量設定チューブをさらに回転させることを防止する。一例では、近位停止表面は、ＥｏＣチューブ上に外側に設けられたねじの一部を形成する。
【００１９】
停止表面は特異点で記述されているが、簡単に任意のランダムな停止表面に分割することができる。
【００２０】
ピストンロッドガイドひいてはピストンロッドが近位方向にピストンロッドを動かす方向に回転するのを防ぐために、一方向歯部がピストンロッドガイドに設けられ、この一方向歯部がハウジングまたは少なくともハウジング構成要素と係合する。従って、ピストンロッドガイドおよびピストンロッドは、一つの回転方向にのみ移動できることが確保される。
【００２１】
回転中、ピストンロッドは、ピストンロッド上の外ねじをハウジング内またはハウジング構成要素内に設けられた類似の内ねじと係合させることによって、遠位方向に螺旋状にねじ込まれる。
【００２２】
ピストンロッドガイドには、用量放出中にドライバと係合するための半径方向の歯部がさらに設けられる。
【００２３】
用量設定チューブの内側表面上に設けられたねじは、ねじセグメントと呼ばれるが、このようなセグメントは、フルの一回転より長い螺旋状長さを含む任意の長さを持つことができる。
【００２４】
定義
「注射ペン」は通常、書き込むためのペンのように長楕円形または細長い形状を持つ注射装置である。こうしたペンは通常、管状の断面を持つが、三角形、長方形、または正方形などの異なる断面を容易に持つことができ、またはこれらの幾何学的形状の周りで任意の変動を容易に持つことができる。
【００２５】
用語「針カニューレ」は、注射中に皮膚の貫通を実施する実際の導管を記述するために使用される。針カニューレは、通常、例えばステンレス鋼などの金属材料から作られ、完全な注射針を形成するために、好ましくは針ハブに接続されている。しかしながら、針カニューレを針ハブなしでハウジング構造に直接接続することもできる。ただし、針カニューレは高分子材料またはガラス材料から作製されうる。
【００２６】
本明細書で使用されるとき、用語「薬剤」は、液体、溶液、ゲルまたは微細懸濁液などの制御された方法で中空針などの送達手段を通過することができる任意の薬剤含有流動性医薬製剤を包含することを意味する。代表的な薬剤としては、ペプチド、タンパク質（例えば、インスリン、インスリンアナログおよびＣ−ペプチド）、ならびにホルモンなどの医薬品、生物由来または活性物質、ホルモンおよび遺伝子に基づく物質、栄養処方および固体（調剤）または液体形態の他の物質が挙げられる。
【００２７】
「カートリッジ」は、薬剤を実際に含有する容器を記述するために使用される用語である。カートリッジは通常、ガラスから作製されるが、任意の適切なポリマーから成形されうる。カートリッジまたはアンプルは、例えば、針カニューレの非患者側の末端によって貫通されうる「隔壁」と称する、貫通可能な膜によって一方の端でシールされることが好ましい。このような隔壁は通常、セルフシールであり、これは、貫通中にできた開口部が、針カニューレが隔壁から除去されると、自動的に固有弾性によってシールされることを意味する。反対側の端は通常、ゴムまたは適切なポリマーから作製されたプランジャーまたはピストンによって閉じられる。プランジャーまたはピストンは、カートリッジ内で摺動可能とすることができる。貫通可能な膜と移動可能なプランジャーとの間の空間は、プランジャーが薬剤を保持する空間の容積を減少させるときに押し出される薬剤を保持する。しかしながら、あらゆる種類の（剛性または可撓性の）容器を使用して薬剤を包含することができる。
【００２８】
カートリッジは通常、その中にプランジャーを移動できないより狭い遠位ネック部分を持ち、カートリッジ内に含まれる液体薬剤のすべてが実際には放出されるわけではない。用語「初期量」または「実質的に使用される」は、したがって、カートリッジ内に含まれる注射可能な内容物を指し、従って必ずしも内容物全体を示すものではない。
【００２９】
「内容物終了」機構は、どの程度の液体薬剤が設定され放出されたかをカウントし、蓄積する機械的、または電気的カウンターである。使用者が新しい用量を設定するたびにこれは、以前に設定され放出された用量に累積される。設定され放出された用量の合計累積量が所定のレベルに達すると、この機構は、使用者がさらなる用量を設定することを妨げる。所定のレベルは通常、特定の注射装置から放出されうる合計量である。注射装置が、例えば通常３ミリリットルのインスリンまたはＧＬＰ−１を含む、Ｎｏｖｏ  Ｎｏｒｄｉｓｋ  Ａ／ＳがＦｌｅｘＰｅｎ（登録商標）またはＦｌｅｘＴｏｕｃｈ（登録商標）の商標名で現在販売している予め充填された注射装置である場合、用量設定の間、内容物終了機構は継続的にカウントされ、設定され放出された累積用量を記憶する。設定および放出された用量の合計累積合計が３ミリリットルに達すると、この機構は、使用者がさらなる用量を設定することを妨げる。
【００３０】
「予め充填された」注射装置という用語は、注射装置を永久的に破壊することなく除去することができないように、液体薬剤を収容するカートリッジが注射装置に永久的に埋め込まれている注射装置を意味する。カートリッジ内の液体薬剤の予め充填された量が使用されると、使用者は通常、注射装置全体を破棄する。これは、使用者が、空になるときに前記液体薬剤を含む前記カートリッジを自分自身で変更することができる、「耐久性」注射装置とは逆である。予め充填された注射装置は通常、二つ以上の注射装置を含むパッケージで販売されるが、耐久性のある注射装置は通常、一度に一つ販売される。予め充填された注射装置を使用する場合平均的な使用者は年間５０から１００の注射装置を必要とするかもしれない。一方、耐久性のある注射装置を使用する場合、単一の注射装置は数年間持続する可能性があるが、平均的な使用者は一年に５０〜１００個の新しいカートリッジを必要とするであろう。
【００３１】
この説明で使用されている「恒久的に接続されている」という用語は、この明細書では、カートリッジおよびハウジングアセンブリとして具体化されている部品が、分離するには道具の使用が必要であり、部品を分離すると、少なくとも一つの部品に恒久的な損傷を与えることを意味する。
【００３２】
本明細書に引用された刊行物、特許出願、および特許を含む全ての参考文献は、あたかも各参考文献が個別におよび具体的に参照により組み込まれることが示され、その全体が本明細書に示されるのと同程度に、その全体が参照により組み込まれる。
【００３３】
すべての見出しおよびサブ見出しは本明細書で便宜上使用されており、本発明を限定するものとして構築するべきではない。
【００３４】
本明細書で設けられるありとあらゆる例、または例示的な言語（例えばなど）の使用は、単に本発明をよりよく明らかにするためのものであり、特にクレームされていない限り、本発明の範囲を制限するものではない。本明細書中のいずれの語句も、特許請求しない任意の要素を本発明の実施に必須であると示すとは解釈されない。
【００３５】
本明細書の特許文書の引用および組み込みは、便宜上のために行われており、かかる特許文書の有効性、特許性、および／または執行可能性の観点からは反映されていない。
【００３６】
本発明は、適用法により許可されている特許請求の範囲に記載された主題のすべての修正および均等物を含む。
【図面の簡単な説明】
【００３７】
本発明は、好ましい実施形態に関連して、また図面を参照しながら、以下により完全に説明される。
【００３８】
【図１】図１は、前記本発明による前記注射装置の分解図を示す。
【図２】図２は、図１に図示した注射装置の内容物終了（ＥｏＣ）機構の側面図を示す。
【図３】図３は、ピストンロッドガイドの側面図を示す。
【図４】図４は、ＥｏＣチューブの側面図を示す。
【図５】図５は、ドライバの側面図を示す。
【図６】図６は、用量設定チューブの側面図を示す。
【図７】図７は、ピストンロッドの斜視図を示す。
【図８】図８は、用量設定の間のＥｏＣ機構の断面図である。
【図９】図９は、投与中のＥｏＣ機構の断面図である
【００３９】
図は、明確にするための概略的および簡略化されており、それらは本発明の理解に不可欠な詳細を示すだけであり、その他の詳細は省略している。全体を通して、同一の参照番号が同一または対応する部品に使用される。
【発明を実施するための形態】
【００４０】
以下の用語で「上」および「下」、「右」および「左」、「水平」および「垂直」、「時計回り」および「反時計回り」または同様の相対表現が使用されている場合、これらは単に添付図を参照するだけであり、実際の使用状況を示すものではない。図示された図は、概略表現であり、その理由は、異なる構造の構成と相対的寸法が例示的な目的のみを果たすことを目的としている。
【００４１】
その文脈において、添付の図面における「遠位端」という用語は、通常注射針を担持する注射装置の端部を指すことを意味するのに対して、「近位端」という用語は、注射針を離れて、通常は用量ダイヤルボタンを担持する反対の端を指すことを意味すると定義するのが便利であり得る。
【００４２】
遠位および近位は、図１および図２にさらに示されるように注射装置の長軸方向軸「Ｘ」に沿って延びる軸方向に沿っていることを意味し、図１は注射装置のモーター部品を開示する。
【００４３】
本発明による、および図２に開示された注射装置の内容物終了機構の中央要素のみが詳細に説明される。
【００４４】
注射装置のモーター部品は、図１に開示したようにハウジング１内に封入される。ハウジング１は、注入される液体薬剤を含むカートリッジ３を固定するカートリッジホルダー２に接続される。
【００４５】
ハウジング１に固定され回転する用量設定ボタン４が近位に設けられている。非表示のプランジャーはカートリッジ３の内側に設けられ、またピストンロッド１０は、用量放出中にプランジャーを遠位方向に移動させるために設けられる。ピストンロッド１０は、ピストンロッド１０が、これらのタイプの注射装置では慣例であるように回転すると螺旋状に前方に移動するように、ハウジング１内に固定されているナット部材１５にねじ込まれている。
【００４６】
図示されていない注射針は、液体薬剤を、そのような注射針のルーメンを通して使用者に送達できるように、カートリッジホルダー２に接続されている。
【００４７】
用量放出は、用量の設定の間に変形されるねじればね５によって実行される。ねじればね５は、ハウジング１とドライバ５０との間に包含される。ねじればね５は、開示された例にあるように、ばねベース６を介してハウジング１に固定される。
【００４８】
ばねベース６と用量設定ボタン４との間に、用量設定ボタン４の回転中にトルクをねじればね５内に確保するラチェット機構７が設けられている。
【００４９】
さらに、用量設定ボタン４の回転によって設定される用量のサイズを表示するために、スケールドラム８が設けられている。スケールドラム８およびドライバ５０には、スケールドラム８がドライバ５０と共に回転するように、ナットおよび溝の接続が設けられる。スケールドラム８は、スケールドラム８がその回転中にらせん状の動きを示すように、ハウジング１に螺合されることが好ましい。
【００５０】
開示された注射装置は、いわゆるシールドトリガー付き注射装置（すなわち、軸方向に移動可能なシールドの作動によって設定用量が放出される注射装置）である。一例では、軸方向に移動可能なシールドは、その後の注射の間で注射針の遠位先端を洗浄する、洗浄チャンバーを担持することができる。
【００５１】
開示された例では、軸方向に移動可能なシールドは図示されていないが、シールドはカートリッジホルダー２を囲み、用量放出中に近位方向に移動される。注入が実施されると、軸方向に移動可能なシールドを戻すために圧縮ばねを設けることができる。非表示のシールドが近位に移動するにつれて、解放要素９を起動して近位に移動する。解放要素９のこの近位移動は、説明されるように、ドライバ５０を近位方向にさらに移動させる。
【００５２】
内容物終了機構の中心的要素は以下のとおりである。
ピストンロッド１０は、図７に開示されている。
ピストンロッドガイド２０は、図３に開示されている。
用量設定チューブ３０は、図６に開示される。
ＥｏＣチューブ４０は、図４に開示される。
ドライバ５０は、図５に開示される。
これらの必須要素は、図１の上部にも開示されており、図２でも再び開示されている。
【００５３】
図７にも開示されるピストンロッド１０は、長軸方向のトラック１２によって長軸方向に中断された外ねじ１１が外部に設けられる。外ねじ１１は、ピストンロッド１０が、ハウジング１に対して回転したときにハウジング１に対して前方に螺旋状に動くように、ハウジング１内に固定されたナット部材１５に設けられた同様の内ねじに螺合する。
【００５４】
図３に図示したピストンロッドガイド２０は、外側表面上に、遠位に一方向歯部２１および近位に半径方向の歯部２２のリングを設ける。内側表面上には、ピストンロッドガイド２０に内向きのノブ２３が設けられている。遠位の一方向歯部２１は、ピストンロッドガイド２０が一回転の方向にのみ回転できるように、ピストンロッドガイド２０をハウジング１に回転的に固定する。さらに、内向きのノブ２３は、ピストンロッドガイド２０が回転するときはいつでもピストンロッド１０が回転するようにおよびその逆であるように、ピストンロッド１０の長軸方向のトラック１２と係合する。
【００５５】
図６に開示される用量設定チューブ３０は、用量設定ノブ４の回転が用量設定チューブ３０の回転に変換されるように、用量設定ボタン４に近位で連結される。内側表面において、用量設定チューブ３０に内向きのねじセグメント３１が設けられ、その意味が後で説明される。用量設定チューブ３０の遠位端に向かって、外向きの周辺隆起部３２が設けられる。この外向きの周辺隆起部３２は、後で説明するように、用量設定チューブをドライバ５０に連結する。
【００５６】
図４に開示された内容物終了チューブ４０（以降、ＥｏＣチューブ４０）は、外側にねじ４１および内側に長軸方向の隆起部４２を設ける。長軸方向の隆起部４２は、ピストンロッド１０内に設けられた長軸方向のトラック１２内にスライドする。ＥｏＣチューブ４０は、ピストンロッド１０に対し相対的に回転することができないが、ピストンロッド１０に対して軸方向にスライドすることができる。さらに、ＥｏＣチューブ４０の遠位端に遠位停止表面４３が設けられ、近位端に近位停止表面４４が設けられている。近位停止表面４４は、ねじ４１の終端に設けられ、一例ではねじ４１の端面として形成されうる。
【００５７】
ドライバ５０は、ドライバ５０および用量設定チューブ３０が両方とも一体で回転し、一体で軸方向に移動するように、用量設定チューブ３０に連結される。一例では、ドライバ５０および用量設定チューブ３０は、一つの構造要素として成形されうる。異なる例では、隆起部３２は、用量設定チューブ３０をドライバ５０に固定する。ドライバ５０は、注入の間に近位に移動する解放要素９により、注入中に近位方向に移動可能である。従って、針シールドの近位移動は、ドライバ５０および用量設定チューブ３０の近位移動に変換される。
【００５８】
ドライバ５０は、ピストンロッドガイド２０の外側表面に設けられた半径方向の歯部２２のリングと係合することができる複数の内向きの半径方向の歯部５１を遠位に備えている。
【００５９】
ドライバ５０はさらに、ねじればね５に接続され、このねじればね５はドライバ５０を回転するために使用できるトルクを保存する。用量設定の間、用量設定チューブ３０およびドライバ５０がハウジング１に対して相対的に回転したときにねじればね５が歪むように、ねじればねの他端はハウジングに対して固定されている。開示された例では、ねじればね５は、ハウジング１にしっかりと固定されてハウジング構造の一部を形成するばねベース６に固定される。
【００６０】
開示された内容物終了機構は、以下の通り動作する。
【００６１】
使用者が用量を注入するのを希望する場合、使用者は、用量設定ボタン４を操作することによって用量設定チューブ３０を回転させる。用量設定ボタン４は、ラチェット機構７を介して用量設定チューブ３０に接続する。用量設定チューブ３０は、後述するように、ラチェット機構７および放出中の用量設定ボタン４の両方に対して軸方向に移動することができる。この用量設定チューブ３０の回転は、ドライバ５０の回転に即時に変換され、ねじればね５の歪につながる。用量設定チューブ３０の回転は、以下に説明するように、ＥｏＣチューブ４０を近位方向に軸方向に移動させることをさらに強制する。
【００６２】
用量設定の間、用量設定チューブ３０およびドライバ５０が回転しているとき、ピストンロッドガイド２０の一方向歯部２１がハウジング１と係合することによって、ピストンロッドガイド２０は用量設定方向への回転が防止される。ピストンロッドガイド２０は回転が阻止されるので、ピストンロッドガイド２０上の内向きのノブ２３が、ピストンロッド１０の長軸方向のトラック１２と係合することにより、ピストンロッド１０も回転しない。ピストンロッド１０は回転しないため、ＥｏＣチューブ４０の長軸方向の隆起部４２がピストンロッド１０の長軸方向のトラック１２と噛み合うため、ＥｏＣチューブ４０はどちらも回転しない。
【００６３】
しかしながら、用量設定チューブ３０、ひいては内向きのねじセグメント３１の回転は、用量設定チューブ３０のねじセグメント３１とＥｏＣチューブ４０の外ねじ４１との間の界面により、ＥｏＣチューブ４０を回転させずに遠位方向に軸方向に移動させる。ねじセグメント３１がねじ４１の停止表面４４に遭遇すると、用量設定チューブ３０はさらなる回転を阻止され、使用者によってさらなる用量を設定できない。この内容物終了位置では、ＥｏＣチューブ４０は、ＥｏＣチューブ４０の遠位停止表面４３が内向きのノブ２３と係合するように遠位に移動されてきた。
【００６４】
用量設定の間、用量設定チューブ３０およびドライバ５０は回転する一方で、ピストンロッド１０、ピストンロッドガイド２０およびＥｏＣチューブ４０は回転しないが、その回転位置に残る。結果として、ＥｏＣチューブ４０は、設定される用量のサイズに相関する距離を、回転することなく、遠位方向に軸方向に移動する。
【００６５】
使用者が注射を行うことを望むたびに、使用者は図示されていない針シールドを皮膚に押し付ける。針シールドの近位移動は、解放要素９およびそれによってドライバ５０の近位移動に変換される。
【００６６】
ドライバ５０が近位に移動するにつれて、ドライバ５０の半径方向の内向きの半径方向の歯部５１が、ピストンロッドガイド２０上に設けられる半径方向の歯部２２のリングと係合するように動く。
【００６７】
用量設定チューブ３０はドライバ５０に連結されているので、用量設定チューブ３０はドライバ５０の近位移動に追従し、ラチェット機構７、好ましくは用量設定ボタン４とも係合から外れるように移動する。
【００６８】
用量設定チューブ３０がラチェット機構７との係合から外れて近位に移動すると、ねじればね５はドライバ５０をまた好ましくは用量設定チューブ３０も回転させることが自由に設定される。ドライバ５０がねじればね５によって回転するにつれて、その結果、ドライバ５０によって係合されるピストンロッドガイド２０が回転する。ピストンロッドガイド２０がピストンロッド１０の長軸方向のトラック１２と係合するので、ピストンロッド１０はピストンロッドガイド２０と共に回転する。
【００６９】
用量放出中に、ドライバ５０および用量設定チューブ３０が回転し、その回転をピストンロッドガイド２０に変換してこうして回転させる。ピストンロッドガイド２０の回転はさらにピストンロッド１０を回転させる。ＥｏＣチューブ４０の長軸方向の隆起部４２は、ピストンロッド１０の長軸方向のトラック１２と係合するので、ＥｏＣチューブ４０はピストンロッド１０と共に回転する。
【００７０】
ＥｏＣチューブ４０が残りの要素と共に回転すると、ＥｏＣチューブ４０の相対的な動きはない。したがって、ＥｏＣチューブ４０の位置は、内容物終了システムで一般的であるように設定され放出された累積用量を示す。
【００７１】
用量設定チューブ３０上のねじセグメント３１のＥｏＣチューブ４０の外ねじ４１との係合により、ＥｏＣチューブ４０も用量放出中に近位方向に移動される。
【００７２】
図８は、用量設定の間のＥｏＣ機構を開示する。ドライバ５０および用量設定チューブ３０は両方ともその遠位位置にある。図８に示す例では、内容物終了位置は、ねじセグメント３１が停止表面４４に隣接するときに到達する。遠位停止表面４３が内向きのノブ２３に隣接し、近位停止表面４４がねじセグメント３１に隣接するため、さらなる用量を設定することはできない。
【００７３】
この位置では、および遠位停止表面４３が内向きのノブ２３に近づく位置でも、ＥｏＣチューブ４０およびピストンロッドガイド２０は互いに回転的にロックされる。この回転係止は、二つの係合面の歯部２２、５１が正しく整列していない場合、場合によっては、ピストンロッドガイド２０の半径方向の歯部２２がドライバ５０の半径方向の歯部５１と係合することを困難にする可能性がある。
【００７４】
図９は、用量放出中の位置を示す。この位置では、ドライバ５０および用量設定チューブ３０は、矢印「Ａ」によって示されるように近位に移動されている。これは、図示しない針シールドおよび解放要素９の起動によって行われる。この位置では、ドライバ５０の半径方向の歯部５１が、ピストンロッドガイド２０上の半径方向の歯部２２と係合するように移動されている。同時に、用量設定チューブ３０上の内向きのねじセグメント３１は、近位方向にある距離だけＥｏＣチューブ３０を持ち上げる。この距離は、遠位停止表面４３が、ピストンロッドガイド２０上の内向きのノブ２３との係合から持ち上げられるように設定される。これにより、用量放出中、ピストンロッドガイド２０とＥｏＣチューブ４０との間にもはや回転接続が存在しない。したがって、ピストンロッドガイド２０は数度自由に回転することができ、ピストンロッドガイド２０とドライバ５０とが完全に整列していない場合、ピストンロッドガイド２０がドライバ５０の半径方向の歯部５１と係合することを可能にする。
【００７５】
いくつかの好ましい実施形態を上記に示したが、本発明はこれらに限定されず、以下の特許請求の範囲に規定される主題の範囲内で他の方法で具現化することができることを強調しておく。
【図１】
2020505125.tif 000003
【図２】
2020505125.tif 000004
【図３】
2020505125.tif 000005
【図４】
2020505125.tif 000006
【図５】
2020505125.tif 000007
【図６】
2020505125.tif 000008
【図７】
2020505125.tif 000009
【図８】
2020505125.tif 000010
【図９】
2020505125.tif 000011
【国際調査報告】
2020505125.tif 000012
2020505125.tif 000013
2020505125.tif 000014